(57)【要約】  シェービング兼トリミング装置（１００）は、上端部（１０４）及び下端部（１０６）を有するハンドル（１０２）と、ハンドル上端部に隣接して配置された電動トリマー（１０８）と、トリマー上でハンドル上端部に取り付けるのに適した接続構造（２０２）、及びこの接続構造に嵌合するかみそりカートリッジ（２０４）を含むウェットシェービング用かみそりアタッチメント（２００）と、を含む。
2012500064.tif 000002
【特許請求の範囲】
【請求項１】
電動シェービング兼トリミング装置であって、
上端部及び下端部を有するハンドルと、
前記上端部に隣接して配置されたトリマーと、
かみそりアタッチメントであって、前記トリマー上で前記上端部に取り付けるのに適した接続構造と、前記接続構造に嵌合するかみそりカートリッジと、を含む、かみそりアタッチメントと、
前記ハンドル内に配置され、前記トリマーに電力を供給するように構成されている第１の電気装置と、
前記かみそりアタッチメントに電力を供給するように構成されている第２の電気装置と、を含む、電動シェービング兼トリミング装置。
【請求項２】
前記下端部が、取り外し可能に取り付けられたキャップを含む、請求項１に記載の装置。
【請求項３】
前記かみそりカートリッジが、前記接続構造に取り外し可能に取り付けられた、請求項１又は２に記載の装置。
【請求項４】
前記かみそりアタッチメントが排出機構を更に含む、請求項１〜３のいずれか一項に記載の装置。
【請求項５】
前記装置が液体不透過性である、請求項１〜４のいずれか一項に記載の装置。
【請求項６】
前記かみそりカートリッジが、前面にある１枚以上のかみそり刃、及び前記カートリッジの上面に沿って前記前面に実質的に垂直に配置された少なくとも１枚の刃を更に含む、請求項１〜５のいずれか一項に記載の装置。
【請求項７】
前記第１の電気装置及び第２の電気装置の一方又は両方がモーターを更に含む、請求項１〜６のいずれか一項に記載の装置。
【請求項８】
前記第２の電気装置が前記かみそりアタッチメント内に配置されている、請求項１〜７のいずれか一項に記載の装置。
【請求項９】
前記第１の電気装置及び第２の電気装置が分離して動作可能である、請求項１〜８のいずれか一項に記載の装置。
【請求項１０】
前記ハンドルに配置されたスイッチを更に含む、請求項１〜９のいずれか一項に記載の装置。
【請求項１１】
前記スイッチが前記電気装置の少なくとも１つに動作可能に接続されており、前記スイッチを作動させると、前記トリマー、前記かみそりアタッチメント、又はその両方に電力が選択的に供給される、請求項１０に記載の装置。
【請求項１２】
前記スイッチが２段階スイッチであり、前記スイッチの１回目の作動により前記トリマーに電力が供給され、前記スイッチの２回目の作動により前記かみそりアタッチメントに電力が供給される、請求項１１に記載の装置。
【請求項１３】
前記第１の電気装置が第１の電気接点を更に含み、前記第２の電気装置が前記第１の電気接点に係合するための第２の電気接点を更に含む、請求項１〜１２のいずれか一項に記載の装置。
【請求項１４】
前記第１及び／又は第２の電気接点のそれぞれが、圧力接点、電気的接点、磁気的接点、電磁気的接点、機械的接点、誘導結合、静電結合、及びこれらの組み合わせからなる群から選択される、請求項１３に記載の装置。
【請求項１５】
前記電気接点が解放されているときに前記トリマーに電力が供給され、前記電気接点が係合しているときに前記かみそりアタッチメントに電力が供給される、請求項１３に記載の装置。
【発明の詳細な説明】
【技術分野】
【０００１】
本発明は、シェービング兼トリミング装置に関する。
【背景技術】
【０００２】
消費者の大部分は、顔の毛の外観を変えたいと思うたびに、例えば、かみそり、はさみ、及び電気トリマーといった複数の手入れ道具を取り扱うのは、ひどく面倒な場合があると感じている。
【発明の概要】
【発明が解決しようとする課題】
【０００３】
このような複数の器具を操作する不便を解消し、シェービング兼トリミング装置を組み合わせた装置が必要とされている。
【課題を解決するための手段】
【０００４】
一態様では、本発明は、ハンドル、トリマー、かみそりアタッチメント、第１の電気装置、及び第２の電気装置を含む、電動シェービング兼トリミング装置を特徴とする。ハンドルは、上端部と下端部とを有し、上端部又は上端部近傍にトリマーを配置している。かみそりアタッチメントは、接続構造及びかみそりカートリッジを含む。接続構造は、トリマー上でハンドル上端部に取り付けるのに適している。かみそりカートリッジは、接続構造に係合可能に嵌合する。第１の電気装置はトリマーに電力を供給するように構成されており、第２の電気装置はかみそりアタッチメントに電力を供給するように構成されている。第１及び第２の電気装置は、分離して動作可能であってよい。
【０００５】
一態様では、かみそりカートリッジは、接続構造に取り外し可能に取り付けられる。別の態様では、かみそりアタッチメントは、かみそりカートリッジを接続構造から取り外し可能に取り付けるための排出機構を含む。別の目的では、かみそりカートリッジは、前面にある１枚以上のかみそり刃及びカートリッジの上面に沿って、前面に実質的に垂直に配置された少なくとも１枚の刃を含む。
【０００６】
一実施態様では、第１の電気装置及び第２の電気装置が、トリマー及びかみそりアタッチメントにそれぞれ電力を供給するためのモーターを含んでよい。別の目的では、第２の電気装置がかみそりアタッチメント内に配置される。第１の電気装置は第１の電気接点を含み、第２の電気装置は第２の電気接点を含む。第２の電気接点は、第１の電気接点と係合するために有用である。電気接点は、それぞれ圧力センサ、電気センサ、磁気センサ、電磁気センサ、又はこれらの組み合わせであってよい。別の目的では、電気接点の係合が解放されているときにトリマーに電力が供給され、電気接点が係合しているときにかみそりアタッチメントに電力が供給される。
【０００７】
ハンドルは、スイッチを含む。スイッチは、電気装置の少なくとも１つに動作可能に接続されている。スイッチを作動させると、トリマー、かみそりアタッチメント、又はその両方に電力が選択的に供給される。一実施態様では、スイッチは２段階スイッチである。スイッチの１回目の作動によりトリマーに電力が供給され、スイッチの２回目の作動によりかみそりアタッチメントに電力が供給される。
【０００８】
別の実施態様は、一方の端部に隣接して配置されたトリマーを有するハンドルと、トリマー上でハンドルに取り付けるのに適した接続構造を含むかみそりアタッチメントと、この接続構造に嵌合するかみそりカートリッジと、第１の電気装置がトリマーに電力を供給するように構成されるようにハンドル内に配置され、トリマーに動作可能に接続されている第１の電気装置と、第２の電気装置がかみそりアタッチメントに電力を供給するように構成されるようにハンドル内に配置され、かみそりアタッチメントに動作可能に接続されている第２の電気装置と、を有する電動シェービング兼トリミング装置を含み、第１の電気装置は第２の電気装置から分離して動作可能である。
【０００９】
更に別の実施態様では、電動シェービング兼トリミング装置が、一方の端部に隣接して配置されたトリマーを含むハンドルと、第１の電気装置がトリマーに電力を供給するように構成されるようにハンドル内に配置され、トリマーに動作可能に接続されている第１の電気装置と、トリマー上でハンドルに取り付けるのに適した接続構造を含むかみそりアタッチメントと、この接続構造に嵌合するかみそりカートリッジと、第２の電気装置がかみそりアタッチメントに電力を供給するように構成されるようにかみそりアタッチメント内に配置された第２の電気装置と、を含み、第１の電気装置は第２の電気装置から分離して動作可能である。
【００１０】
別の態様では、シェービング兼トリミング装置は液体不透過性である。
【００１１】
更に別の態様では、ハンドル下端部にキャップが、取り外し可能に取り付けられる。
【００１２】
このシェービング兼トリミング装置は、もはや個別のトリマー及びかみそりを必要としない、一体型装置としての電動トリマーを提供する。
【００１３】
本発明の他の特徴及び利点は、説明及び図面、並びに特許請求の範囲から明らかになる。
【図面の簡単な説明】
【００１４】
【図１】電動シェービング兼トリミング装置の斜視図。
【図２】分離された図１のシェービング兼トリミング装置の斜視図。
【図３】代替実施形態の電動シェービング兼トリミング装置の斜視図。
【図４】分離された図３のシェービング兼トリミング装置の斜視図。
【図５】電動シェービング兼トリミング装置の上面斜視図。
【発明を実施するための形態】
【００１５】
図１及び２は、電動シェービング兼トリミング装置１００を示す。装置１００は、ハンドル１０２、トリマー１０８、かみそりアタッチメント２００、第１の電気装置１１２、及び第２の電気装置１１４を含む。装置１００は、ハンドル１０２の内部構成要素及びかみそりアタッチメント２００、具体的には電気部品が液体不透過性であるように構成されている。ハンドル１０２は上端部１０４及び下端部１０６を有し、ユーザに把持されるのに適している。一実施形態では、キャップ１１０が下端部１０６に取り外し可能に取り付けられている。トリマー１０８は、上端部１０４又はその近傍に配置され、トリマー１０８内に配置される少なくとも１枚の刃を動かすように構成されている。
【００１６】
かみそりアタッチメント２００は、接続構造２０２及びかみそりカートリッジ２０４を含む。接続構造２０２は、トリマー１０８上で上端部１０４に取り付けるのに適している。かみそりカートリッジ２０４は、接続構造２０２に係合可能に嵌合する。この一実施形態では、かみそりカートリッジ２０４が、接続構造２０２に取り外し可能に取り付けられてよい。
【００１７】
別の実施形態（図示せず）では、ウェットシェービング用かみそりアタッチメント２００は、かみそりカートリッジ２０４を接続構造２０２から取り外し可能に取り付けるための、図５に示される排出機構２１０を含む。更に別の実施形態では、かみそりカートリッジ２０４は、前面にある１枚以上のかみそり刃２０６及びカートリッジの上面に沿って、前面に実質的に垂直に配置された少なくとも１枚の刃２０８を含む。かみそりカートリッジ２０４は、ＷａｌｋｅｒによるものでＴｈｅ  Ｇｉｌｌｅｔｔｅ  Ｃｏｍｐａｎｙに譲渡された米国特許第７，１９７，８２５号に開示されるタイプのものであってよい。
【００１８】
装置１００は、操作中にユーザに把持され、電動機能を提供する構成要素を含むように構成されている。例えば装置１００は、電源、コントローラ、プリント基板（「ＰＣＢ」）、スイッチ、及び動作可能にＰＣＢに接続されているライトを含んでよい。装置１００は、放射、運動、ポテンシャル、熱、磁気、重力、音響エネルギー、光エネルギー、電気、電磁気、化学源、及びこれらの組み合わせを含むが、これらに限定されない様々なエネルギー源によって電力が供給されてよい。第１の電気装置１１２は電源からトリマー１０８に電力を供給するように構成されており、第２の電気装置１１４は電源からかみそりアタッチメント２００に電力を供給するように構成されている。
【００１９】
装置１００は、図２に示されるように電動トリミング装置として動作するように、又は図１に示されるように電動ウェットシェービング装置として動作するように構成されている。一実施形態では、この兼用装置は、少なくとも１枚の刃を動かす結果として得られる振動がかみそりアタッチメント２００に伝わるようにトリマー１０８を作動させることにより、電動ウェットシェービング装置としても機能し得る。第１の電気装置１１２に電力が供給される場合、トリマーは、少なくとも１枚の刃を動かす電動トリマーとして機能する。第２の電気装置１１４に電力が供給される場合、かみそりアタッチメント２００は、かみそりカートリッジ２０４の周囲に振動を発生させる電動ウェットシェービングかみそりとして機能する。一実施形態では、第１の電気装置１１２及び第２の電気装置１１４の両方が、ハンドル１０２内に配置される。別の実施形態では、第１の電気装置３１２がハンドル３０２内に配置され、第２の電気装置４１２がかみそりアタッチメント２００内に配置される。
【００２０】
第１の電気装置１１２、第２の電気装置１１４、及びその両方が、モーターを含んでよい。第１の電気装置１１２又は第２の電気装置１１４のいずれかを作動させることにより、トリマー１０８又はかみそりアタッチメント２００に振動を与える。一実施例では、第１の電気装置１１２及び第２の電気装置１１４は、相互に独立して動作可能である。
【００２１】
装置１００は、ハンドル１０２に配置されているスイッチ１１６を含む。スイッチ１１６は、電気装置１１２、１１４の少なくとも１つに動作可能に接続されている。スイッチを作動させると、トリマー１０８、かみそりアタッチメント２００、又はその両方に電力が選択的に供給される。一実施例では、スイッチ１１６は２段階スイッチである。スイッチ１１６の１回目の作動によりトリマーに電力が供給され、スイッチ１１６の２回目の作動によりかみそりアタッチメント２００に電力が供給される。
【００２２】
別の実施形態では、第１の電気装置１１４は第１の電気接点１１８を含み、第２の電気装置１１４は第１の電気接点１１８と係合するための第２の電気接点２１２を含む。電気接点１１８、２１２は、圧力センサ、電気センサ、磁気センサ、電磁気センサ、又はこれらの組み合わせであってよい。他の好適な電気接点が使用されてもよい。電気接点１１８、２１２の係合が解放されている場合、トリマーに電力が供給される。電気接点１１８、２１２が係合されている場合、かみそりアタッチメントに電力が供給される。
【００２３】
図３及び４は、電動シェービング兼トリミング装置３００の別の実施形態を示す。装置３００は、装置１００と同様の機構を有する。装置３００は、図３に示されるように電動トリミング装置として動作するように、又は図４に示されるように電動ウェットシェービング装置として動作するように構成されている。第１の電気装置１１２はトリマー１０８に電力を供給するように構成されており、第２の電気装置２１４はかみそりアタッチメント２００に電力を供給するように構成されている。第１の電気装置１１２に電力が供給される場合、トリマー１０８は、トリマー１０８の少なくとも１枚の刃を動かす電動トリマーとして機能する。第２の電気装置２１４に電力が供給される場合、かみそりアタッチメント２００は、かみそりカートリッジ２０４の周囲に振動を発生させる電動ウェットシェービングかみそりとして機能する。第１の電気装置１１２はハンドル１０２内に配置され、第２の電気装置２１２はかみそりアタッチメント２００内に配置される。
【００２４】
この実施形態では、第１の電気装置１１２は第１の電気接点１１８を含み、第２の電気装置２１４は第１の電気接点１１８と係合するための第２の電気接点２１２を含む。電気接点１１８、２１２の係合が解放されている場合、トリマーに電力が供給される。電気接点３１８、４１２が係合されている場合、かみそりアタッチメントに電力が供給される。電気接点の種類には、圧力接点、電気的接点、磁気的接点、電磁気的接点、機械的接点、誘導結合、静電結合、又はこれらの組み合わせが挙げられてよいが、これらに限定されない。他の好適な電気接点が使用されてもよい。
【００２５】
例えば、第１の電気接点１１８、第２の電気接点２１２、又はその両方がマイクロスイッチであってよい。このマイクロスイッチは、係合可能なトグル部材を有する、通常閉鎖又は開放されているスイッチであってよく、第１の電気装置１１２、第２の電気装置２１４、又はその両方に電気的に結合されている。トグル部材の係合が解放されている場合、マイクロスイッチは「開放」状態（例えば、通常閉鎖されているマイクロスイッチに対して開放されている）であり、トリマー１０８に電力を供給する。トグル部材が係合されている場合、マイクロスイッチは「閉鎖」状態であり、かみそりアタッチメント２００に電力を供給する。あるいは、第１の電気接点１１８、第２の電気接点２１２、又はその両方は、第１の電気装置１１２、第２の電気装置２１４、又はその両方に電気的に結合されている磁性部材及びリード部材を含む。磁場が変化すると、リードスイッチは「開放」状態、即ち、トリマー１０８に電力を供給する状態から、「閉鎖」状態、即ち、かみそりアタッチメント２００に電力を供給する状態になる。
【００２６】
別の実施例では、第１の電気接点１１８、第２の電気接点２１２、又はその両方は、その上に電極を有するＰＣＢであってよい。第１の電気接点１１８上の電極は、第２の電気接点２１２上の電極と交錯しているが、結合してはいない。抵抗部材は電極に電気的に接触するが、電気的に結合しない。抵抗部材は、圧力を受けると電極が電気的に接続されるように感圧性であってよい。あるいは、抵抗部材に圧力がかけられると、電圧が変化する。別の実施例では、抵抗部材は、感圧性ポリマー、金属粒子、半導体材料、これらの組み合わせ、又は意図される目的に好適な他の材料で形成されてよい。
【００２７】
別の実施形態では、かみそりアタッチメント２００はエネルギー蓄積装置、例えばコイン電池、二重層コンデンサ、太陽電池、又は第２の電気装置２１２を動作させるエネルギーを蓄積するために好適な他の蓄積装置を含む。一実施例では、エネルギー蓄積装置は、外付けの充電ステーションを介して誘導充電をもたらすように構成されてよい。充電ステーションは、トリマーの一部、又は装着されていないときはアタッチメントが配置される別の外付け充電ステーションの一部であってよい。別の実施形態では、かみそりアタッチメントは、アタッチメント上で第２の電気装置２１２が分離して動作するためのスイッチを含む。
【００２８】
本明細書に開示される寸法及び値は、列挙された正確な数値に厳しく制限されるものとして理解されるべきでない。それよりむしろ、特に指定されない限り、こうした各寸法は、列挙された値とその値周辺の機能的に同等の範囲の両方を意味することを意図する。例えば、「４０ｍｍ」として開示される寸法は、「約４０ｍｍ」を意味するものとする。
【００２９】
本明細書で引用される、相互参照付きの、又は関連する、特許及び出願を含むいずれの文献も、明白に排除されない限り、また別の方法で制限されない限り、本明細書にその全体が参照によって組み入れられる。いずれの文献の引用も、こうした文献が本明細書中で開示又は特許請求の範囲に記載されるいずれかの発明に対する先行技術であることを容認するものではなく、また、こうした文献が、単独で、あるいは他のあらゆる参照文献との組み合わせにおいて、こうした発明のいずれかを参照、教示、示唆又は開示していることを容認するものでもない。更に、本文書における用語のいずれかの意味又は定義が、援用文献における同一の用語のいずれかの意味又は定義と相反する限りにおいては、本文書においてその用語に与えられた意味又は定義を優先するものとする。
【００３０】
本発明の特定の実施形態について説明し記載したが、本発明の趣旨及び範囲から逸脱することなく他の様々な変更及び修正が可能であることが当業者には自明である。したがって、本発明の範囲内にあるそのようなすべての変更及び修正を、添付の特許請求の範囲で扱うものとする。
【図１】
2012500064.tif 000003
【図２】
2012500064.tif 000004
【図３】
2012500064.tif 000005
【図４】
2012500064.tif 000006
【図５】
2012500064.tif 000007
【国際調査報告】
2012500064.tif 000008
2012500064.tif 000009
2012500064.tif 000010